【事件の表示】
　平成　５年特許願第３５３１０４号「遊戯機制御管理システム」拒絶査定不服審判事件〔平成　７年　８月　１日出願公開、特開平　７−１９４８２３〕について、次のとおり審決する。
【結　論】
　本件審判の請求は、成り立たない。
【理　由】
【１】手続きの経緯及び本願発明  
　本願は、平成５年１２月２８日の出願であって、平成１３年１月９日に拒絶査定がなされ、これに対し、平成１３年２月１４日に拒絶査定に対する審判請求がなされ、その後当審において、平成１７年６月２３日付けで拒絶理由が通知され、これに対し、同年８月２３日付けで手続補正がなされたものであり、その請求項１に係る発明（以下、「本願発明」という。）は、平成１７年８月２３日付け手続補正書により補正された明細書及び図面の記載からみて、その特許請求の範囲の請求項１に記載された、以下のとおりのものと認める。  
「【請求項１】マスターサーバーと、電気ロック機構を有する遊戯機搭載部を備える複数の遊戯機と、複数の店員に配布され各遊戯機の電気ロック機構を遠隔操作により解錠動作させる携帯用の遠隔操作部とから成る遊戯機制御管理システムであって、
　前記の各遠隔操作部は、前記マスターサーバーにより設定された店員コード、各遊戯機に付与された固有のＩＤコード、および当該遠隔操作部による電気ロック機構の解錠回数を記憶する記憶手段と、前記記憶手段に記憶されたＩＤコードを光により送信する送信手段と、前記記憶手段に対する前記解錠回数の記憶動作を制御する制御手段とを備え、
　各遊戯機の遊戯機搭載部は、前記固有のＩＤコードを記憶するコード記憶手段と、前記遠隔操作部より送信されるＩＤコードを受信する受信手段と、前記受信手段で受信したＩＤコードとコード記憶手段に記憶されたＩＤコードとが一致するとき、電気ロック機構を解錠動作させる制御手段とを備えており、
　前記の各遠隔操作部の制御手段は、遠隔操作で電気ロック機構が解錠動作する毎に、前記記憶手段に記憶されている電気ロック機構の解錠回数を１加算した値に更新し、前記マスターサーバは、各遠隔操作部が回収されたとき、各遠隔操作部に蓄積された解錠回数および店員コードを取り込んで記憶するようにした遊戯機制御管理システム。」（以下、「本願発明」という。」   　
【２】刊行物記載の事項  
 １．これに対して、当審における平成１７年６月２３日付けで通知した拒絶の理由に引用され、本願出願前に日本国内において頒布された刊行物である特開昭６３−８２６８４号公報（以下、「引用例１」という。）には、パチンコ台用操作制御装置に関して、以下の事項が記載されている。  
「第２図は、本発明の実施例に係るパチンコ台用操作制御装置の概略構成図であり、この図において、１はパチンコ台、２は、支持枠体に開閉自在に、かつ、固定可能に取り付けられた木枠、３は、木枠２に開閉自在に、かつ、固定可能に取り付けられたガラス扉であり、木枠２の内方に受信機４が設けられるとともに、その受信部としての受光部が木枠２の穴５に臨むように配設されている。パチンコ台１には、図示しないが、木枠２のロックを解除して開閉操作を許容するソレノイドとかガラス扉３のロックを解除して開閉操作を許容するソレノイド、更には、セーフ玉やアウト玉に対する玉抜きゲートを開閉するノレノイド、玉打ちモータなどのアクチュエータが備えられている。 
　６は波動信号としての赤外線を送出する送信機であり、その外面に５個の操作キー７…と１個の連続操作用のスライドキー８とが設けられている。９は、送信中であることを発光によって示す動作表示部、10は、ライター11の書込ジャック12を接続するコネクタ部である。」（第３頁右上欄第１１行〜同頁左下欄第１０行） 
「前記送信機６には、第１図（ａ）に示すように、ライター11によって書き込まれて設定された固有の鍵符号を記憶する送信側鍵符号記憶部19と、鍵符号を送信側鍵符号記憶部19から読み出して発生する鍵符号発生部20と、操作キー７…の操作に伴なう出力に応答して、それぞれに対応するアクチュエータを駆動操作するための機能符号を発生する機能符号発生部21aと、スライドキー８の操作に伴なう出力に応答して連続操作符号を発生する連続操作符号発生部21bと、鍵符号発生部20からの鍵符号と機能符号発生部21aからの機能符号と連続操作符号発生部21bからの連続操作符号それぞれを信号化した赤外線に変換して発信する発信部22とが備えられている。 
　前記発信部22は、前記鍵符号と機能符号とから成るパラレル信号をシリアル信号に変換する信号変換部23と、シリアル信号化した電気信号を増幅する増幅器24と、その増幅された電気信号により赤外線を発生出力する赤外線発光部25とから構成されている。 
　前記受信機４には、第１図（ｂ）に示すように、予め設定された固有の鍵符号を記憶する受信側鍵符号記憶部26と、前記発信部22からの赤外線を受信し、その赤外線に対応した鍵符号および機能符号それぞれに変換して出力する受信部27と、受信側鍵符号記憶部26で記憶された鍵符号と受信部27からの鍵符号とを比較して両者が一致したときに操作許容信号を出力する鍵符号照合回路28と、その操作許容信号に応答して機能符号に対応する駆動信号を前述のアクチュエータ29…の所定のものに出力する出力回路30とが備えられている。　前記受信部27は、赤外線を受信して電気信号に変換する赤外線受信部31と、その電気信号を増幅する増幅器32と、増幅された電気信号を前記鍵符号とから成るパラレル信号に変換する信号変換部33とから構成されている。 
　また、受信機４には、前記送信機６においてスライドキー８が入力操作されて前記連続操作符号発生部21bから連続操作符号が出力されたときにのみ、それに応答して電線ケーブル34で接続された隣接するパチンコ台１の受信機４に鍵符号と機能符号とを送信する連続操作用送信部35と、隣接するパチンコ台１の連続操作用送信部35からの鍵符号と機能符号とを受信して鍵符号照合回路28に出力するとともに、前記連続操作用送信部35に鍵符号と機能符号とを出力する連続操作用受信部36とが備えられ、予め、１ブロックに集まっているパチンコ台１…、いわゆる１“しま”のパチンコ台１…を互いに電線ケーブル34によって接続しておくことにより、スライドキー８の入力状態で所定の操作キー７を操作するに伴ない、順次、鍵符号と機能符号とを隣接するパチンコ台１…に送信していき、鍵符号記憶部26に記憶された鍵符号と連続操作用受信部36からの鍵符号とを鍵符号照合回路28で比較し、両者が一致している場合に、ガラス扉３の開閉などを順次自動的に行なうことができるように構成されている。 
　前記鍵符号照合回路28では、連続操作用受信部36からの鍵符号と機能符号とを受けたかどうかを判別し、それら符号を受けたことの判別に伴なって、出力回路30から連続操作用送信部35に鍵符号と機能符号とを送信して、それらの符号を連続操作用送信部35から送信するようになっている。」（第３頁左下欄第２０行〜第４頁左下欄第５行） 
「前記送信機６における鍵符号は、第５図に示すように、それぞれ６桁の変更用鍵符号A2と比較用鍵符号A1とから成り、そして、それらの変更用鍵符号A2と、比較用鍵符号A1と、同一の２個の連続操作符号と機能符号とから成る機能コードA0,A0とから送信コードが構成されている。また、変更用鍵符号A2および比較用鍵符号A1は、それぞれ20ビットで構成され、約100万通りの鍵符号を設定できるようになっている。また、連続操作符号と機能符号とから成る機能コードA0は４ビットで構成され、機能符号として16通り（連続操作符号を含む）のものを設定できるようになっている。」（第５頁左上欄第１１行〜同頁右上欄第３行） 
「次いで、送信機６の制御動作について説明すれば、送信機６のRAMが、第７図に示すように、変更用鍵符号a2と比較用鍵符号a1とから成る受付バッファと設定コードｂと書き変えコードｃと書き替えフラグｆとから構成されており、このRAM構成のもとで、先ず、第８図のフローチャートに示すように、書込ジャック12が接続されているかどうかを判断し（N1）、接続されていなければ、ステップN2に移行して操作キー７…ならびにスライドキー８が操作されたかどうかを判断し、キー操作がされれば、送信側鍵符号記憶部19において、予め同一の鍵符号を記憶させている２箇所の記憶領域から鍵符号を読み出し（N3）、それらの鍵符号が一致しているかどうかを判断する（N4）。送信機６の電池寿命低下などに起因して乱調を生じて不一致であれば、ステップN5に移行して送信側鍵符号記憶部19を初期化し、設定コードｂを000000にする。両鍵符号が一致していれば、鍵符号発生部20から鍵符号を発生出力するとともに（N6）、機能符号発生部21aから対応する機能符号を発生出力する（N7）。このとき、前記スライドキー８が操作されていれば、連続操作符号発生部21bから連続操作符号を発生出力する。その後、ステップN8に移行し、鍵符号の後に機能符号を付けて赤外線発光部25から送信する。」（第５頁左下欄第１９行〜第６頁左上欄第４行） 
「また、受信機４の制御動作について説明すれば、受信機４のRAMが、第９図に示すように、変更用鍵符号A2と比較用鍵符号A1と機能符号A0とから成る受付バッファと設定コードＢと書き替えコードＣと書き替えフラグＦとから構成されており、このRAM構成のもとで、先ず、第10図のフローチャートに示すように、赤外線受光部31で送信機６からの赤外線が受信されるに伴ない、その赤外光の入力により、変更用鍵符号と比較用鍵符号とを入力して受付バッファにメモリし（S1）、受信側鍵符号記憶部26において、予め同一の鍵符号を記憶させている２箇所の記憶領域から鍵符号を読み出し（S2）、それらの鍵符号が一致しているかどうかを判断する（S3）。停電とか断線、あるいは、閉店後の電源OFFなどに起因して乱調を生じて不一致であれば、ステップS4に移行して受信側鍵符号記憶部26を初期化し、設定コードＢを000000にする。
両鍵符号が一致していれば、ステップS5に移行して、変更用鍵符号A2と設定コードＢとが一致しているかどうかを判断し、一致していれば、機能符号を判断して（S6）、機能符号に対応する出力を出し、所定のアクチュエータ29を駆動する（S7）。 
　次いで、設定コードＢと比較用鍵符号A1とが一致しているかどうかを判断し（S8）、一致していれば、書き替えフラグＦが１かどうかを判断する（S9）。
　初期では、書き替えフラグＦが立っていないため、ステップS10に移行し、変更用鍵符号A2を書き替えコードＣに書き込むとともに、書き替えフラグＦを１にする（S11）。その後、再度ステップS1ないしステップS3、ステップS5、ステップS8ならびにステップS9の処理を繰り返し、ステップS12において、変更用鍵符号A2と書き替えコードＣとが一致しているかどうかを判断し、一致していなければステップS10に移行し、そして、一致していれば、ステップS13に移行して変更用鍵符号A2を設定コードＢに書き込み、しかる後に、書き替えフラグＦを０にしてから（S14）ステップS6に移行する。 
　前記ステップS8において、比較用鍵符号A1と設定コードＢとが一致していなければ、ステップS15に移行して設定コードＢが000000かどうかを判断し、設定コードＢが000000であれば、ステップS9に移行し、そうでなければ、ステップS14に移行する。即ち、前の設定コードを忘れたような場合とか、分からないような場合には、受信機４の受信側鍵符号記憶部26を初期化することにより、改めて別の鍵符号を設定できるようになっている。 
　以上の制御動作により、特定の者が、ライター11によって送信機６に所定の鍵符号を設定できるとともに、パチンコ台１…のすべての受信機４に対して、特定の１個の鍵符号を設定でき、しかも、適宜、その鍵符号を変更設定できる。　したがって、仕様の異なるパチンコ台１…であっても、１種の送信機６でもって操作でき、更には、前述の保護手段による設定時間経過後における鍵符号の消去構成と、この鍵符号の変更構成とにより、送信機６の紛失や盗難とか、鍵符号が洩れた場合などにあっても、不正が発生することを簡単かつ確実に防止できる。そのうえ、スライドキー８を入力操作したときには、１“しま”などの多数のパチンコ台１…に対して、ガラス扉３…の開放などの動作を順次連続的に行なうことができ、実用上極めて便利なパチンコ台用操作制御装置を提供できた。 
　上記実施例では、赤外線を利用しているが、本発明としては、例えば、超音波なども利用可能であり、それらをして波動信号と総称する。 
本発明としては、例えば、送信機６としてマスター用と従業員用とを準備し、マスター用の送信機６には、すべての機能を備えさせながら、従業員用の送信機６には、ガラス扉３の開放と玉打ちモータの停止解除の機能のみを備えさせるといったように構成しても良い。」（第６頁左下欄第２行〜第７頁右上欄第１８行） 
　　　　
　以上の記載から、「引用例１」には、以下の発明が記載されているものと認められる。（以下、「引用例１に記載された発明」という。） 
＜引用例１に記載された発明＞ 
「パチンコ台それぞれには、支持枠体に開閉自在に取り付けられた木枠に開閉自在に取り付けられたガラス扉を設け、木枠の内方に受信機が設けられ、木枠のロックを解除して開閉操作を許容するソレノイド、ガラス扉のロックを解除して開閉操作を許容するソレノイド、更には、セーフ玉やアウト玉に対する玉抜きゲートを開閉するソレノイド、玉打ちモータなどのアクチュエータを備え、送信機から送出される赤外線の送信信号に応答し前記ソレノイド、アクチュエータに対する駆動信号を受信機より出力するものであり、前記送信機には設定した固有の鍵符号を記憶する送信側鍵符号記憶部と、前記送信側鍵符号記憶部から読み出して鍵符号を発生する鍵符号発生部と、所定時間が経過したときに前記鍵符号が使用不能状態とする保護手段と、前記鍵符号を送信信号に変換して発信する発信部とを備え、前記受信機には、設定した固有の鍵符号を記憶する受信側鍵符号記憶部と、前記送信機の発信部からの送信信号を受信し、鍵符号に変換して出力する受信部と、前記受信側鍵符号記憶部で記憶された鍵符号と前記受信部からの鍵符号とを比較して両者が一致したときに前記アクチュエータを駆動するための操作許容信号を出力する鍵符号照合回路とを備えたパチンコ台用操作制御装置。」 　　  
 　　 
２．同じく、当審における拒絶の理由に引用され、本願の出願前に頒布された特開平４−７１５７７号公報（以下、「引用例２」という。）には、扉情報記憶装置に関して、以下の事項が記載されている。  
「第１図は、パチンコ機１の前面を示しており、カード４（可搬型の情報媒体ともいう）がカード挿入口３に挿入される状態を示している。 
　第１図において、ガラス扉２は前記カード４を使用することにより、パチンコ機１の前面から扉の開閉が可能となるように取付けられている。又、カード挿入口３はパチンコ機１の前面の右側に設けられており、カード４は例えば磁気カード、ＩＣカード等の情報記憶媒体により形成されている。」（第２頁左下欄第１０〜１８行） 
「第２図において扉情報記憶装置はカード４とカードリーダライタ５（情報読み書き装置ともいう）と錠制御装置６とから構成されており、さらに錠制御装置６は制御回路７と駆動装置８とから構成され、それぞれ電気的に接続されている。 
　カードリーダライタ５はカード４が挿入されたときカード４に記憶された例えば解錠者名コード等の識別情報を読み込むことができ、更に、新たに例えば解錠するパチンコ機１の台番号、解錠の度数、解錠の時刻、施錠の時刻もしくは解錠時間等の扉情報を書き込むことができ、また内蔵するマイクロコンピュータと後述のフローチャートによる制御とにより識別情報の適否の判断を行うことができるように形成されている。」（第２頁右下欄第６〜１９行） 　
「まず、扉情報記憶装置の電源が投入されると、カードリーダライタ５に内蔵されているマイクロコンピュータが初期化される。ステップＳ１はカード４が挿入されたか否かを検出する処理である。カードリーダライタ５にカード４が挿入されたことを判断すると、ステップＳ２において、カード４に記憶された前記識別情報がカードリーダライタ５により読み取られ、ステップＳ３において、読み取られた識別情報がそのパチンコ機１の固有の識別情報であり、かつガラス扉２を開いてよいものと適合するかどうかを判別する。この判断の結果、識別情報と適合していない場合には、ステップＳ５において、カード４をカードリーダライタ５から自動的に排出するというカード排出処理をしたあとステップＳ１に戻る。又、識別情報と適合している場合には、ステップＳ４において、解錠するパチンコ機１の台番号、解錠時刻等の扉情報をカード４に書き込んだ後、ステップＳ６において、解錠信号を錠制御装置６の制御回路７へ出力する。一方、制御回路７は上記解錠信号が入力されると駆動装置８を作動させ、パチンコ機１に付属する錠装置１３を解錠する。 
　その後、ステップＳ７においてガラス扉２が閉じられたと判断したとき、ステップＳ８において、カード４に例えば施錠時刻もしくは解錠時間等の扉情報を書き込む。」（第３頁右上欄第７行〜同頁左下欄第１２行）
「上記管理者は、上記識別情報に解錠者名コード等を含ませることにより遊技ホール係員の遊技台扉開閉作業に係わる行動を分析し管理することができる。」（第３頁右下欄第１１〜１４行） 
 　　 
３．同じく、当審における拒絶の理由に引用され、本願の出願前に頒布された特開平５−２８７９４５号公報（以下、「引用例３」という。）には、ＩＣカードに関して、以下の事項が記載されている。 
「請求項４に記載の電気符号錠においては、記憶担体を利用してロック機構のアンロック或はロック動作が行われた場合に、それらの動作が行われた各時刻が記憶担体に記憶されると共に、その記憶時刻が記憶担体側の表示手段に表示されるようになるから、ロック機構の状態確認をより具体的に行い得るようになる。」（段落【００１２】）
「ＩＣカード５は、プラスチック製のカード基板５ａ内にＩＣモジュール９及び電池（図２に符号１０を付して示す）などを収納すると共に、そのカード基板５ａ上に、ＩＣモジュール９用の端子９ａ群、操作手段としての押しボタンスイッチ１１、表示手段としての面発光タイプのＬＥＤ（発光ダイオード）１２及び１３、磁気ストライプ１４を設けて成る。この場合、ＬＥＤ１２は例えば赤色のもので、その点灯に応じて電気錠２がアンロック状態にあることを表示し、ＬＥＤ１３は例えば緑色のもので、その点灯に応じて電気錠２がロック状態にあることを表示する。」（段落【００１６】） 
「図２にはＩＣカード５の電気的構成が概略的に示されている。この図２において、ＩＣモジュール９は、メモリ機能を内蔵したワンチップＣＰＵを含んで成る制御部１５と、入出力インタフェース回路１６を中心に構成されており、その電源は、内蔵電池１０及びリーダライタ３の双方から得るようになっている。この場合、電池１０は、制御部１５のメモリ機能の保持、並びに制御部１５を通じたＬＥＤ１２、１３の駆動のために設けられたものである。尚、制御部１５には、書換可能な暗号コードΔＣが記憶されるものであり、また、制御部１５から制御信号Ｓ１が出力された状態では赤色のＬＥＤ１２が点灯し、制御信号Ｓ２が出力された状態では緑色のＬＥＤ１３が点灯するようになっている。」（段落【００１７】） 
「制御部１５は、状態信号Ｓｆが入力されたときには、その状態信号Ｓｆに含まれるフラグＦが「０」か否かを判断し（ステップＡ８）、「ＹＥＳ」のときには電気錠２がアンロック状態にあることを示す状態データΔＲを記憶し（ステップＡ９）、この後にステップＡ１へ戻る。これに対して、ステップＡ８で「ＮＯ」と判断したとき、つまり状態信号Ｓｆに含まれるフラグＦが「１」であったときには、電気錠２がロック状態にあることを示す状態データΔＧを記憶し（ステップＡ１０）、この後にステップＡ１へ戻る。」（段落【００２２】）
　　　
４．同じく、当審における拒絶の理由に引用され、本願の出願前に頒布された特開昭６３−１６５６７５号公報（以下、「引用例４」という。）には、ＩＣカードに関して、以下の事項が記載されている。 
「第１図および第２図において符号１はＩＣカードの全体を示し、このＩＣカードには、いわゆるＩＣチップ２と半導体集積回路によるデジタル時計モジュールなどの時計部材３とが埋設されている。 
　上記ＩＣチップ２は、通常、第２図に示すように、入出力信号処理機能を有する中央演算装置としてのＣＰＵ４と、このＩＣカード１を他のものと区別するために割り当てられた判別コードやソフトウエアを蓄積した読み出し専用の第１メモリー５と、後述するように施解錠時刻等を蓄積するランダムアクセス可能な第２メモリー６とを有している。」（第２頁左上欄第１９行〜同頁右上欄第１１行） 
「しかして、カードリーダ１１のＣＰＵ４０は例えば第４図に示すフローチャートに則って、ＩＣカード１のＣＰＵ４は第５図に示すフローチャートに則ってそれぞれ制御される。なお、図中Ｐ１〜Ｐ８、Ｑ１〜Ｑ７はそれぞれフローチャートの各ステップを示す。」（第２頁右下欄第３〜８行） 
「一方、ＩＣカード１側においては、第５図に示すように、ステップＱ４において施錠信号または解錠信号を受信し、ステップＱ５において作動完了信号を受信したら、ステップＱ６において、施、解錠信号とその施、解錠信号受信時刻、および要すればカードリーダ１１の識別コードを第２メモリー６に格納して、ステップＱ７においてプログラムが終了する。」（第３頁左下欄第１４行〜同頁右下欄第２行）　　
「また、例えば日毎に全ＩＣカードを回収し、これらの第２メモリー６に蓄積されている施、解錠に関する情報を図示しない管理用のカードリーダで読み出し、これらを判別コードおよび／または識別コード毎に分類して記憶し、例えばビル等の電気錠群の管理をする。」（第３頁右下欄第１８行〜第４頁左上欄第３行）
  　　 
【３】対比・判断  
１．本願発明と引用例１に記載された発明との対比  
　本願発明と引用例１に記載された発明とを対比すると、引用例１に記載された発明の「アクチュエータ」、「パチンコ台それぞれ」、「送信機」、「固有の鍵符号」、「送信側鍵符号記憶部」、「赤外線」、「発信部」、「受信側鍵符号記憶部」、「受信部」、「鍵符号照合回路」が、本願発明の「電気ロック機構」、「複数の遊技機」、「遠隔操作部」、「固有のＩＤコード」、「記憶手段」、「光」、「送信手段」、「コード記憶手段」、「受信手段」、「制御手段」にそれぞれ相当し、また、引用例１に記載された発明のガラス扉の開閉操作を許容したり、セーフ球やアウト球に対する玉抜きゲートの開閉、玉打ちモータの停止といった各種操作を行う「パチンコ台」には、通常、本願発明の「遊戯機搭載部」を備えているのは明らかであり、さらに、上記構成部品を備えた引用例１に記載された発明の「パチンコ台用操作制御装置」は、本願発明と同様、鍵符号の時間による設定、変更、消去によりパチンコ台の管理を行うから、本願発明の「遊戯機制御管理システム」に相当する。  
　してみると、本願発明と引用例１に記載された発明とは、  
「電気ロック機構を有する遊戯機搭載部を備える複数の遊戯機と、各遊戯機の電気ロック機構を遠隔操作により解錠動作させる携帯用の遠隔操作部とから成る遊戯機制御管理システムであって、 
　前記の遠隔操作部は、各遊戯機に付与された固有のＩＤコードを記憶する記憶手段と、前記記憶手段に記憶されたＩＤコードを光により送信する送信手段と、を備え、 
　各遊戯機の遊戯機搭載部は、前記固有のＩＤコードを記憶するコード記憶手段と、前記遠隔操作部より送信されるＩＤコードを受信する受信手段と、前記受信手段で受信したＩＤコードとコード記憶手段に記憶されたＩＤコードとが一致するとき、電気ロック機構を解錠動作させる制御手段とを備えた、遊戯機制御管理システム。」 
　である点で一致し、以下の点で相違する。  
 ＜相違点１＞  
　遠隔操作部の「記憶手段」が、本願発明では電気ロック機構の解錠回数を記憶し、また、遠隔操作部に解錠回数の記憶動作を制御する「制御手段」を備え、電気ロック機構が解錠動作する毎に解錠回数を１加算した値に更新するようにしたのに対し、引用例１に記載された発明にはこれらの構成が記載されていない点。
＜相違点２＞
　本願発明では、マスターサーバにより、複数の店員に配布された各遠隔操作部に店員コードを設定し、また、各遠隔操作部が回収されたとき、各遠隔操作部に蓄積された解錠回数及び店員コードを取り込んで記憶するのに対し、引用例１に記載された発明には上記機能を有するマスターサーバを備えていない点。　  
 　　　　
２．相違点についての検討  
 ＜相違点１＞について  
　遠隔操作部の「記憶手段」が、電気ロック機構の解錠回数を記憶する点について、解錠した時刻が可搬型の情報媒体に書き込まれる点が、上記引用例２、３及び４に記載されており、また、情報媒体であるＩＣカード内のメモリに解錠時刻等を記憶させる「制御手段」を有することも、上記引用例３及び４に記載されているから、解錠を行う可搬型の情報媒体に、解錠の時刻を記憶する「記憶手段」や、記憶させる「制御手段」を備えることは、施解錠の技術分野においては従来周知の技術である。
　そして、記憶動作させる際、解錠回数を更新して記憶させることは、例えば、パチンコ機の技術分野において、記憶手段に扉の解錠に伴う開放の回数を、特開平１−１８１８８８号公報（第３頁左下欄第９〜１７行参照）や特開平３−１４１９６６号公報（第１９頁右下欄第１１行〜第２０頁左上欄第１９行参照）のように、回数を更新し積算値として記憶することが従来周知の技術であるから、解錠時の時刻か回数にするかは、当業者が必要に応じて適宜変更し得る設計事項にしかすぎないことである。 
　そうすると、引用例１に記載された発明の送信機に上記周知技術を適用し、相違点１に係る構成とすることは、当業者が容易に想到できたものである。  
＜相違点２＞について
　マスターサーバにより、各遠隔操作部に店員コードを設定する点について、店員コードを設定することは、店員や従業員が解錠操作で使用するカードや電子キーユニットに店員や従業員コードを設定することが、上記引用例２、及び特開昭６３−９９８８８号公報、並びに特公昭６３−６６５４４号公報に記載され、また、店員や従業員コードをマスターサーバのような管理装置で設定することも、同様に前記特開昭６３−９９８８８号公報、及び特公昭６３−６６５４４号公報に記載されているように、従来周知の技術である。
　そして、マスターサーバにより、各遠隔操作部が回収されたときに解錠回数及び店員コードを取り込んで記憶する点について、解錠を行う可搬型の情報媒体であるＩＣカードやキーに、使用者の識別情報と解錠履歴を記録するメモリを備え、使用後に別途リーダ等の外部装置により、メモリに記録された識別情報や解錠履歴を読み取る点が、上記引用例４、及び特開平２−３１１６８０号公報、並びに特開平４−３４７２８５号公報に記載されているように、従来周知の技術であり、記録する内容を解錠回数とすることも上記「＜相違点１＞について」で既に適記したとおりである。
　そうすると、引用例１に記載された発明に上記周知技術を適用し、相違点２に係る構成とすることは、当業者が容易に想到できたことである。　　
　　　
３．作用効果・判断  
　そして、本願発明によって奏する効果も、引用例１に記載された発明及び周知技術から予測できるものである。
　したがって、本願発明は、引用例１に記載された発明及び周知技術に基づいて当業者が容易に発明をすることができたものであるから、特許法第２９条第２項の規定により特許を受けることができない。
　　　
【４】むすび
　以上のとおり、本願発明は、引用例１に記載された発明及び周知技術に基づいて、当業者が容易に発明をすることができたものであるから、特許法第２９条第２項の規定により特許を受けることができないものである。
　よって、結論のとおり審決する。